(57)【要約】【課題】乗客コンベアが停止する前に乗客の注意を十分喚起することができ、したがって停止することを必要最小限に抑えることが可能な乗客コンベアを提供すること。【解決手段】移動する踏段１６と、この踏段の両側に設けられた欄干パネル１１と、この欄干パネルの基部の内側に向けて前記踏段に沿って設けられた複数の警告装置１８とから構成された乗客コンベアであって、前記警告装置１８は、前記踏段上の物体が近づいたことを検知する近接センサ１９と、この近接センサ１９により前記物体が近づいたことを検知したとき、光を放射する警告ランプ２０ａ，２０ｂとを有する。【選択図】　図１
2004142843.tif 000002
【特許請求の範囲】
【請求項１】
所定方向に移動可能な踏段と、この踏段の両側に設けられた欄干パネルと、この欄干パネルの基部の内側に向けて前記踏段に沿って設けられた複数の警告装置とから構成された乗客コンベアであって、
前記警告装置は、
前記踏段上の物体が近づいたことを検知する近接センサと、
この近接センサにより前記物体が近づいたことを検知したとき、光を放射する冷陰極蛍光ランプとを有して成ることを特徴とする乗客コンベア。
【請求項２】
所定方向に移動可能な踏段と、この踏段の両側に設けられた欄干パネルと、この欄干パネルの基部内側で前記踏段の側端に面して設けられたスカートガードパネルと、スカートガードパネル外側に前記踏段に沿って設けられた複数の警告装置とから構成された乗客コンベアであって、
前記警告装置は、
前記スカートガードパネルに設けられた穴を通して前記踏段上の物体が近づいたことを検知する近接センサと、
この近接センサにより物体が近づいたことを検知したとき、前記スカートガードパネルに設けられた穴を通して光を放射する冷陰極蛍光ランプとを有して成ることを特徴とする乗客コンベア。
【請求項３】
所定方向に移動可能な踏段と、この踏段の両側に設けられた欄干パネルと、この欄干パネルの基部内側で前記踏段の側端に面して設けられたスカートガードパネルと、スカートガードパネル外側に前記踏段に沿って設けられた複数の警告装置とから構成された乗客コンベアであって、
前記警告装置は、
前記スカートガードパネルに設けられた穴を通して前記踏段上の物体が近づいたことを検知する近接センサと、
複数個の冷陰極蛍光ランプから構成され、前記近接センサにより物体が近づいたことを検知したとき、前記スカートガードパネルに設けられた穴を通して光を放射する冷陰極蛍光ランプとを有して成り、
前記近接センサにより物体の近接を検知したとき、前記踏段の移動速度に応じて、発光する前記冷陰極蛍光ランプを切り替えることを特徴とする乗客コンベア。
【請求項４】
前記近接ランプにより物体が近づいたことを検知したとき、その旨の警告を音声により乗客に知らせる音声警告手段を更に有することを特徴とする請求項３記載の乗客コンベア。
【発明の詳細な説明】
【０００１】
【発明の属する技術分野】
本発明は、安全性確保のための警告装置を有するエスカレータなどの乗客コンベアに関する。
【０００２】
【従来の技術】
直立した状態で乗客を運ぶエスカレータなど乗客コンベアは、その移動速度は遅いので比較的危険性は少ない。しかし、乗客が立っている踏段を移動させており、できるだけ、踏段に異物が挟まらないようにしているが、乗っている乗客の姿勢などにより、踏段と欄干パネルの間などに乗客の衣服が挟まるようなことがあり、その度に安全スイッチが作動してエスカレータを停止させていた。
【０００３】
しかし、エスカレータが停止すれば操作者が来て、安全を確認して再起動する必要があり、その間乗客の移動を止めることになり、エスカレータの保守者にとっても乗客にとっても不便である。
【０００４】
【発明が解決しようとする課題】
上述のように、従来のエスカレータなど乗客コンベアの問題点に鑑みてなされたもので、乗客コンベアが停止する前に乗客の注意を十分喚起することができ、したがって停止することを必要最小限に抑えることが可能な乗客コンベアを提供することを目的とする。
【０００５】
【課題を解決するための手段】
上記目的を達成するために、本発明の請求項１によれば、所定方向に移動可能な踏段と、この踏段の両側に設けられた欄干パネルと、この欄干パネルの基部の内側に向けて前記踏段に沿って設けられた複数の警告装置とから構成された乗客コンベアであって、前記警告装置は、前記踏段上の物体が近づいたことを検知する近接センサと、この近接センサにより前記物体が近づいたことを検知したとき、光を放射する冷陰極蛍光ランプとを有して成ることを特徴とする乗客コンベアを提供する。
【０００６】
本発明の請求項２によれば、所定方向に移動可能な踏段と、この踏段の両側に設けられた欄干パネルと、この欄干パネルの基部内側で前記踏段の側端に面して設けられたスカートガードパネルと、スカートガードパネル外側に前記踏段に沿って設けられた複数の警告装置とから構成された乗客コンベアであって、前記警告装置は、前記スカートガードパネルに設けられた穴を通して前記踏段上の物体が近づいたことを検知する近接センサと、この近接センサにより物体が近づいたことを検知したとき、前記スカートガードパネルに設けられた穴を通して光を放射する冷陰極蛍光ランプとを有して成ることを特徴とする乗客コンベアを提供する。
【０００７】
本発明の請求項３によれば、所定方向に移動可能な踏段と、この踏段の両側に設けられた欄干パネルと、この欄干パネルの基部内側で前記踏段の側端に面して設けられたスカートガードパネルと、スカートガードパネル外側に前記踏段に沿って設けられた複数の警告装置とから構成された乗客コンベアであって、前記警告装置は、前記スカートガードパネルに設けられた穴を通して前記踏段上の物体が近づいたことを検知する近接センサと、複数個の冷陰極蛍光ランプから構成され、前記近接センサにより物体が近づいたことを検知したとき、前記スカートガードパネルに設けられた穴を通して光を放射する冷陰極蛍光ランプとを有して成り、前記近接センサにより物体の近接を検知したとき、前記踏段の移動速度に応じて、発光する前記冷陰極蛍光ランプを切り替えることを特徴とする乗客コンベアを提供する。
【０００８】
【発明の実施の形態】
以下、本発明の各実施形態について図面を用いて説明する。図１に、本発明一実施形態のエスカレータの一部断面図を、また図２にこのエスカレータの全体図を示す。
【０００９】
図１（ａ）に示すように、エスカレータの欄干パネル１１基部の外側には外デッキ１２が設けられ、基部内側には、内レッジ１３が設けられる。この内レッジ１３の外側にはスカートガードパネル１４が設けられ、通路１５には踏段１６が設けられて移動する。１７は踏段の端を示すデマクリートである。図示していないが、欄干パネル１１の上方には、手すりデッキが設けられ、この手すりデッキに掛けて回転移動させられるゴム製の手すりの移動と上記踏段１６は、同期して移動するようになっている。
【００１０】
スカートガードパネル１４の、通路１５側から見て外側には本発明一実施形態の警告装置１８が設けられる。この警告装置１７は、近接センサ１９と２本の警告ランプ２０ａ，２０ｂを備え、これらが取付箱２１に収められ、この前面にはアクリル板２２が設けられ、ボルト２３ａ，２３ｂにより、スカートガードパネル１４に固着される。２４ａ，２４ｂは各々近接センサ１９及び警告ランプを支える支持部であり、２４ｒは反射鏡である。近接センサ１９と警告ランプ２０ａ，２０ｂは導線１９ｒにより接続されており、近接センサ１９により、物体が近づいたことを検知すると、警告ランプ２０ａ，２０ｂが点灯するようになっている。
【００１１】
アクリル板２２及びスカートガードパネル１４の、取付箱２１に収納された近接センサ１９の前面の受光部に当たる位置には、丸穴２５が設けられる。また、アクリル板２２及びスカートガードパネル１４の、警告ランプ１９ａ，１９ｂの前面には、細長い穴（長穴）２６が設けられている。
【００１２】
スカートガードパネル１４の上記警告装置１８が設けられている部分を通路１５側から見ると、図１（ｂ）に示すように近接センサ１９が受光する丸穴２５の下に警告ランプ２０ａ，２０ｂの発する光を通す長穴２６が位置することになる。このような丸穴２５と長穴２６を有する警告装置は、図２に示すように、エスカレータの踏段１６が上階から下階まで、即ち水平運動する位置から段差運動し再び水平運動する位置まで設置される。
【００１３】
なお、図３に示すように、警告装置１８のアクリル板２２を丸穴２５及び長穴２６を塞ぐように凸形状とし、スカートガードパネル１４の表面とアクリル板２２の表面が面一となるような構造にすれば、受光あるいは発光する光を遮ることなく、エスカレータの走行中、乗客の足や衣服が長穴２６にひっかかることを防止することができる。
【００１４】
ところで、本発明のこの実施形態における警告ランプとして冷陰極蛍光ランプを用いる。警告ランプとして用いる冷陰極蛍光ランプとしては例えば図４（ａ）に示すような構造をしたものを用いる。ガラス外管４１ａ内のガラス内管４１ｂの両端に一対の電極４２ａ，４２ｂを設け、その内に例えば水銀ガス４３を封入する。ガラス内管４１ｂの内面には蛍光体４４を塗布しており、冷電極４２ａ，４２ｂ管に電圧を印加することによって発光させる。
【００１５】
警告ランプ用の冷陰極蛍光ランプとしては、図４（ｂ）に示すような外部電極型の蛍光ランプを用いることもできる。即ちガラス外管４５ａ内側のガラス内管４５ｂ内に例えばキセノンガス４６を封入し、ガラス外管４５ａの外側に設けた一対の電極４７ａ，４７ｂ間に電圧を印加して、発光させる。
【００１６】
例えば、上階からこのエスカレータに乗った乗客のズボンの裾が、踏段１６とスカートガードパネル１４の間に挟まりそうになると、乗客が乗っている踏段１６の近接センサ１９が作動する。そしてこの近接センサと接続されている警告ランプ２０ａ，２０ｂが点灯することにより、乗客にズボンの裾が挟まりそうなことを伝えることになる。
【００１７】
この実施形態において警告ランプを各々２本設けているのは、危険性の程度を明るさにより、乗客に知らせるためである。例えば、警告ランプとして黄色に発色する冷陰極蛍光ランプを各々２本用い、近接センサ１９により、乗客などによる妨害物が近づいたとき、まず１本目を点灯させ、更に近づいたときには２本とも点灯させる。これによりエレベータの長穴２６から黄色の光線が外部に、しかも危険度に応じて放射され、危険な状態になっていることを乗客に知らせることができる。
【００１８】
また、本発明における警告は、速度を変えることの可能なエスカレータなどでは、エスカレータの速度に応じて色を変えて行うようにすることもできる。このような実施形態の警告装置の構成を図５に示す。図５において、図１と同じ番号は同じ部材を意味する。この実施形態では、冷陰極蛍光ランプにより構成された警告ランプ５０ａ，５０ｂ，５０ｃは各々、青色、黄色、赤色の光を発する。
【００１９】
図示していないがエスカレータの踏段の移動速度を検知する回路を有して、この回路により検出された移動速度に応じて青色警告ランプ５０ａ、黄色警告ランプ５０ｂ、赤色警告ランプ５０ｃを点灯させる。
【００２０】
例えば、踏段が高速度で移動している場合に近接センサにより接近してきた物が検出されたら青色警告ランプ５０ａが点灯し、中程度の速度で移動している場合に近接センサにより物体の近接が検出されたときには黄色警告ランプ５０ｂが点灯し、低速度で移動している場合に物体の近接が検出されたときには、赤色警告ランプ５０ｃを点灯させる。
【００２１】
この実施形態によれば、乗客の衣服など物体の検出されたときの、踏段の移動速度に応じて、警告を発する色を変えることができ、乗客に移動速度に応じた対処を促すことが可能となる。
【００２２】
上記実施形態では、警告ランプとして冷陰極蛍光ランプを用いた場合について説明した。警告ランプとして冷陰極蛍光ランプを用いると、小型にすることができ、また強い光を発することができて、余分なスペースをとらずしかも乗客に容易に注意を喚起できる利点がある。
【００２３】
また、上記実施形態では、警告ランプのみにより、乗客に異常を知らせる場合について説明したが、近接センサが近接する物を検知したとき、音声合成装置を作動させて、警告を光と併せて音声により知らせることも可能である。このようにすれば、乗客の視覚のみならず聴覚によっても注意を喚起することができる利点がある。
【００２４】
本発明において、乗客コンベアとは、エスカレータや動く歩道など、踏段が移動することによりその上に乗っている人を移動させることが可能な装置をいう。
【００２５】
【発明の効果】
以上説明したように本発明によれば、乗客コンベアを停止させるより前に乗客に警告を発することができ、したがって、乗客コンベアの停止を必要最小限にすることができる効果がある。
【図面の簡単な説明】
【図１】本発明一実施形態のエスカレータの一部断面を示す図。
【図２】本発明一実施形態の全体を示す図。
【図３】本発明の一実施形態の一部変形例を示す図。
【図４】本発明の一実施形態に警告ラップとして用いる冷陰極蛍光ランプの構造を示す図。
【図５】本発明の他の実施形態のエスカレータの一部断面を示す図。
【符号の説明】
１１・・・欄干パネル、１２・・・外デッキ、１３・・・内レッジ、１４・・・スカートガードパネル、１５・・・通路、１６・・・踏段、１７・・・デマクリート、１８・・・警告装置、１９・・・近接センサ、１９ｒ・・・導線、２０ａ，２０ｂ・・・警告ランプ、２１・・・取付箱、２２・・・アクリル板、２４ｒ・・・反射鏡、２５・・・丸穴、２６・・・長穴、４１ａ，４５ａ・・・ガラス外管、４１ｂ，４５ｂ・・・ガラス内管、４３・・・水銀ガス、４４・・・蛍光体、４６・・・キセノンガス、５０ａ・・・青色警告ランプ、５０ｂ・・・黄色警告ランプ、５０ｃ・・・赤色警告ランプ。
【図１】
2004142843.tif 000003
【図２】
2004142843.tif 000004
【図３】
2004142843.tif 000005
【図４】
2004142843.tif 000006
【図５】
2004142843.tif 000007